(57)【要約】【課題】店頭で容易に大きく開口させて、すっきりとした状態で商品を展示できる包装展示兼用箱を提供する。【解決手段】端壁１の両側に側壁２を連設して周壁を形成し、端壁１に設けた手掛穴１１から周方向に延びる切目線１２を入れると共に、端壁１には、手掛穴１１付近を始端として両側上方へ斜めに延びる補助罫線１３を入れておく。展示に際しては、端壁２を手掛穴１１の上縁に臨む部分から手前に引っ張ると、補助罫線１３の作用により端壁１及び側壁２が撓み、端壁１から側壁２へかけて切目線１２が切断され、切目線１２より上方部分を除去することにより、容易に大きく開口させることができ、すっきりとした状態で、残存したトレー状の部分から商品を露出させて展示することができる。【選択図】図３
0003197408.tif 000002
【実用新案登録請求の範囲】
【請求項１】
端壁(1)の両側に側壁(2)を連設して周壁を形成し、端壁(1)に設けた手掛穴(11)から周方向に延びる切目線(12)を入れると共に、端壁(1)には、手掛穴(11)付近を始端として両側上方へ斜めに延びる補助罫線(13)を入れておき、
展示に際しては、端壁(1)を手掛穴(11)の上縁に臨む部分から手前に引っ張り、補助罫線(13)に沿って端壁(1)を撓ませると共に、これに伴い、両側の側壁(2)を撓ませ、切目線(12)を切断して、切目線(12)より上方部分を除去するようにした包装展示兼用箱。
【請求項２】
請求項１に記載の包装展示兼用箱において、前記補助罫線(13)は、手掛穴(11)の両端上部から延びるものとし、手掛穴(11)の上部の折目線(11b)をヒンジとする折込片(11c)を設け、折込片(11c)を内側へ折り込んで手掛穴(11)を開口させるようにしたことを特徴とする包装展示兼用箱。
【請求項３】
請求項１又は２に記載の包装展示兼用箱において、前記側壁(2)の切目線(12b)は、破断方向へ延びる断続した主切目(12b1)と、主切目(12b1)間の繋部で破断方向に交差して斜めに向いた副切目(12b2)とが交互に列をなすものとしたことを特徴とする包装展示兼用箱。
【請求項４】
請求項１乃至３のいずれか１項に記載の包装展示兼用箱において、前記側壁(2)には、その切目線(12b)の中間部分から端壁(1)側の上角部へ向けて補助罫線(14)を入れ、展示に際しては、端壁(1)と共に側壁(2)を補助罫線(14)に沿って撓ませるようにしたことを特徴とする包装展示兼用箱。
【請求項５】
請求項１乃至４のいずれか１項に記載の包装展示兼用箱において、前記端壁(1)の補助罫線(13)は、手掛穴(11)付近から延びる先折罫線(13a)と、上角部へ至る後折罫線(13b)とが横方向にずれて配置されたものとしたことを特徴とする包装展示兼用箱。
【考案の詳細な説明】
【技術分野】
【０００１】
この考案は、商品の包装に使用されると共に、切目線に沿った切断に伴い、展示にも使用される紙箱に関するものである。
【背景技術】
【０００２】
従来、下記特許文献１には、紙製の包装箱において、図１３に示すように、端壁５１に設けた手掛穴５４から横方向へ延びる切目線５５と、これに連続して側壁５２の上端中間部へ斜めに延びる切目線５６とを入れると共に、対向する側壁５２の切目線５６の終端間にわたる折目線５７を天壁５３に入れ、また、端壁５１に手掛穴５４付近を始端として天壁５３側の両角部へ斜めに延びる補助罫線５８を入れたものが記載されている。
【０００３】
この包装箱では、内容物を取り出す際、端壁５１を手掛穴５２から手前に引っ張り、補助罫線５８に沿って撓ませつつ、切目線５５，５６を切断する。
【０００４】
そして、切目線５５，５６より下方の本体５９となる部分に対し、上方の蓋体６０となる部分を、折目線５７をヒンジとして天壁５３が折り重なるように上方へ回動させ、開口した部分から内容物を取り出す。
【０００５】
また、残存した内容物を保管しておく場合、蓋体６０の部分を、折目線５７をヒンジとして下方へ回動させ、本体５９の部分に被せ、包装状態に復元して、箱内に塵埃が入らないようにする。
【先行技術文献】
【特許文献】
【０００６】
【特許文献１】特許第４３５３７２７号公報
【考案の概要】
【考案が解決しようとする課題】
【０００７】
しかしながら、上記のような包装箱では、商品を収納して小売店へ輸送し、店頭で開口させて商品を展示する場合、開口面積を大きく確保できず、また、蓋体６０が本体５９に繋がったままであることから、視覚的に煩わしさを感じさせ、蓋体６０を本体５９から切り取るには、手間がかかるという問題がある。
【０００８】
そこで、この考案は、店頭で容易に大きく開口させて、すっきりとした状態で商品を展示できる包装展示兼用箱を提供しようとするものである。
【課題を解決するための手段】
【０００９】
上記のような課題を解決するため、この考案は、端壁の両側に側壁を連設して周壁を形成し、端壁に設けた手掛穴から周方向に延びる切目線を入れると共に、端壁には、手掛穴付近を始端として両側上方へ斜めに延びる補助罫線を入れておき、展示に際しては、端壁を手掛穴の上縁に臨む部分から手前に引っ張り、補助罫線に沿って端壁を撓ませると共に、これに伴い、両側の側壁を撓ませ、切目線を切断して、切目線より上方部分を除去するようにしたのである。
【００１０】
また、前記補助罫線は、手掛穴の両端上部から延びるものとし、手掛穴の上部の折目線をヒンジとする折込片を設け、折込片を内側へ折り込んで手掛穴を開口させるようにしたのである。
【００１１】
また、前記側壁の切目線は、破断方向へ延びる断続した主切目と、主切目間の繋部で破断方向に交差して斜めに向いた副切目とが交互に列をなすものとしたのである。
【００１２】
なお、前記側壁には、その切目線の中間部分から端壁側の上角部へ向けて補助罫線を入れ、展示に際しては、端壁と共に側壁を補助罫線に沿って撓ませるようにしてもよい。
【００１３】
また、前記端壁の補助罫線は、手掛穴付近から延びる先折罫線と、上角部へ至る後折罫線とが横方向にずれて配置されたものとしてもよい。
【考案の効果】
【００１４】
この考案に係る包装展示兼用箱では、収納した商品を店頭で展示する際、端壁を手掛穴の上縁に臨む部分から手前に引っ張ると、補助罫線の作用により端壁及び側壁が撓み、端壁から側壁へかけて切目線が切断され、切目線より上方部分を除去することにより、容易に大きく開口させることができ、すっきりとした状態で商品を展示できる。
【図面の簡単な説明】
【００１５】
【図１】この考案の第１実施形態に係る包装展示兼用箱のブランクを示す図
【図２】同上の包装状態を示す斜視図
【図３】同上の開封過程を示す斜視図
【図４】同上の展示状態を示す斜視図
【図５】この考案の第２実施形態に係る包装展示兼用箱のブランクを示す図
【図６】同上の包装状態を示す斜視図
【図７】同上の開封過程を示す斜視図
【図８】同上の展示状態を示す斜視図
【図９】この考案の第３実施形態に係る包装展示兼用箱のブランクを示す図
【図１０】同上の包装状態を示す斜視図
【図１１】同上の開封過程を示す斜視図
【図１２】同上の展示状態を示す斜視図
【図１３】特許文献１に記載の包装箱の開口状態を示す斜視図
【考案を実施するための形態】
【００１６】
この考案の第１実施形態を図１〜図４に基づいて説明する。
【００１７】
この包装展示兼用箱は、食品パウチ等の商品を収納するものであり、幅及び奥行寸法より高さ寸法が大きい直方体とされ、図１に示す段ボールのブランクから形成される。
【００１８】
このブランクでは、周壁を形成する部分として、端壁１の片側に側壁２が連設され、反対側に側壁２、端壁３及び継代片４が順次連設されている。側壁２の下端及び上端には内フラップ５ａ，６ａがそれぞれ連され、端壁１，３の下端及び上端には外フラップ５ｂ，６ｂがそれぞれ連設されている。
【００１９】
端壁１には、中間下部に下向き台形状の手掛穴１１を形成するように、その両側縁及び下縁となる切目線１１ａと、上縁となる折目線１１ｂとが入れられ、切目線１１ａと折目線１１ｂの内側が折込片１１ｃとされている。切目線１１ａは、切目が断続するミシン目とされ、折目線１１ｂは、段ボールの裏面側から押圧した押罫とされている。
【００２０】
そして、手掛穴１１の両端上部を始端として、組立状態で周壁全周に及ぶ切目線１２が入れられている。切目線１２は、端壁１の切目線１２ａ、側壁２の切目線１２ｂ及び切目線１２ｃ及び端壁３の切目線１２ｄから構成されている。
【００２１】
端壁１の切目線１２ａは、手掛穴１１の両端上部から切目線１１ａに連続して、側壁２との境界へ横向きに延びるものであり、切目が断続するミシン目とされている。
【００２２】
側壁２の切目線１２ｂは、端壁１の切目線１２ａに連続して横向きに延び、湾曲部を介して斜め上方へ向きを変え、内フラップ６ａとの境界へ至るものである。この切目線１２ｂは、破断方向へ延びる断続した主切目１２ｂ１と、その切目間の繋部で破断方向に交差して斜めに向いた副切目１２ｂ２とが交互に列をなす構成とされている。
【００２３】
側壁２の切目線１２ｃは、内フラップ６ａとの境界に沿って端壁１と反対側の端部へ横向きに延びるものであり、鉤状に屈曲した切目が断続するジッパーとされている。
【００２４】
端壁３の切目線１２ｄは、外フラップ６ｂとの境界に沿って継代片４との境界側の端部へ横向きに延びるものであり、切目が断続するミシン目とされている。
【００２５】
また、端壁１には、手掛穴１１の両端上部を始端として両側の上角部の方向へ斜めに延びる補助罫線１３が入れられている。補助罫線１３は、段ボールの裏面側から押圧した押罫とされている。補助罫線１３の垂線に対する角度は、１０°〜３０°としておくと、後述する開封時に周壁の変形があまり大きくならず、商品が保護される。
【００２６】
このようなブランクは、製造に際し、端壁１と一方の側壁２の境界に沿って折り重ねると共に、端壁３と他方の側壁２の境界に沿って折り重ね、継代片４を一方の側壁２の端部に貼り付けた偏平な折畳状態としておく。
【００２７】
そして、商品を収納する際には、図２に示すように、端壁１，３及び一対の側壁２から角筒状の周壁を形成し、内フラップ５ａと外フラップ５ｂとを折り重ねて固定することにより底壁５を形成し、商品を上部開口から収納した後、内フラップ６ａと外フラップ６ｂとを折り重ねて固定することにより天壁６を形成し、封緘状態とする。
【００２８】
一方、店頭で商品を展示する際には、図３に示すように、折込片１１ｃの押込に伴い、手掛穴１１の切目線１１ａを破断させ、折目線１１ｂをヒンジとして折込片１１ｃを内側へ折り込むことにより、手掛穴１１を開口させる。
【００２９】
次に、手掛穴１１に指を入れ、折込片１１ｃに指を掛けて、端壁１を手掛穴１１の上縁に臨む部分から手前に引っ張ると、端壁１は補助罫線１３に沿って膨出するように撓み、切目線１２ａが切断され、これに伴い、側壁２の切目線１２ｂより上方部分が内側へ引っ張られて撓み、切目線１２ｂの端壁１寄りの部分が切断される。
【００３０】
このとき、手掛穴１１の上縁に臨む部分は、段ボールが二重となっているため、この部分を指で手前に引っ張ったとき、手掛穴１１の上縁から端壁１が破れたり、補助罫線１３以外の部分で端壁１が折れ曲がったりする現象が防止される。
【００３１】
そして、手掛穴１１の上縁に臨む部分から端壁１を引き上げると、側壁２の切目線１２ｂが上端まで切断され、続いて、切目線１２ｃも切断される。その後、天壁６を少し捻ると、端壁３と天壁６の境界の切目線１２ｄが切断され、周壁全周に及ぶ切目線１２より上方部分を除去できる。
【００３２】
上記のような手順により、この包装展示兼用箱は、図４に示すように、容易に大きく開口させることができ、引裂帯等の分離したゴミも発生せず、すっきりとした状態で、残存したトレー状の部分から商品を露出させて展示することができる。
【００３３】
また、展示状態において、切断縁が長く正面側へ向く側壁２の切目線１２ｂは、主切目１２ｂ１と副切目１２ｂ２の間の繋部が短く、切断縁に大きな凸凹が生じないので、美粧性に優れたものとなる。
【００３４】
次に、この考案の第２実施形態を図５〜図８に基づいて説明する。
【００３５】
この包装展示兼用箱は、飲料缶のほか、各種商品を収納する溝切型のものであり、組立状態で高さが低い直方体とされ、図５に示す段ボールのブランクから形成される。
【００３６】
このブランクでは、周壁を形成する部分として、端壁１の片側に側壁２及び継代片４が順次連設され、反対側に側壁２及び端壁３が順次連設されている。端壁１，３は、周壁の短面をなし、側壁２は周壁の長面を形成する。端壁１，３の下端及び上端には内フラップ５ａ，６ａがそれぞれ連設され、側壁２の下端及び上端には外フラップ５ｂ，６ｂがそれぞれ連設されている。
【００３７】
端壁１には、中間部に下向き凸状の手掛穴１１を形成するように、その両側縁及び下縁となる切目線１１ａと、上縁となる折目線１１ｂとが入れられ、切目線１１ａと折目線１１ｂの内側が折込片１１ｃとされている。切目線１１ａは、切目が断続するミシン目とされ、折目線１１ｂは、段ボールの裏面側から押圧した押罫とされている。
【００３８】
そして、手掛穴１１の両端上部を始端として、組立状態で周壁全周に及ぶ切目線１２が入れられている。切目線１２は、端壁１の切目線１２ａ、側壁２の切目線１２ｂ，１２ｃ及び端壁３の切目線１２ｄから構成されている。
【００３９】
端壁１の切目線１２ａは、手掛穴１１の両端上部から切目線１１ａに連続して、側壁２との境界へ横向きに延びるものであり、切目が断続するミシン目とされている。
【００４０】
側壁２の切目線１２ｂは、端壁１の切目線１２ａに連続して斜め上方へ延び、外フラップ６ｂとの境界へ至るものであり、切目線１２ｂの端壁１寄りの部分は、波状の切目と直線の切目とが断続し、切目線１２ｂの外フラップ６ｂ寄りの部分は、波状の切目のみが断続するものとされている。
【００４１】
側壁２の切目線１２ｃは、外フラップ６ｂとの境界に沿って端壁１と反対側の端部へ横向きに延びるものであり、破断方向へ延びる断続した切目と、その切目間の繋部で破断方向に交差して斜めに向いた切目とが交互に列をなす構成とされている。
【００４２】
端壁３の切目線１２ｄは、内フラップ６ａとの境界に沿って切断端側へ横向きに延びるものであり、両端が屈曲した切目と破断方向へ延びる直線の切目とが交互に断続するものとされている。
【００４３】
また、端壁１には、手掛穴１１の両端上部を始端として両側の上角部の方向へ斜めに延びる補助罫線１３が入れられている。補助罫線１３は、段ボールの裏面側から押圧した押罫とされている。
【００４４】
さらに、側壁２には、切目線１２ｂの中間部分における波状の切目の頂部から端壁１側の上角部へ向けて補助罫線１４が入れられている。補助罫線１４もまた、段ボールの裏面側から押圧した押罫とされている。
【００４５】
そのほか、外フラップ６ｂには、基部における切目線１２ｂと切目線１２ｃの境界付近から先端側へ延びる折目線１５が入れられている。折目線１５は、直線の切目が比較的大きな間隔をあけて配列されたものとされている。
【００４６】
このようなブランクは、製造に際し、端壁１と一方の側壁２の境界に沿って折り重ねると共に、端壁３と他方の側壁２の境界に沿って折り重ね、継代片４を端壁３の端部に貼り付けた偏平な折畳状態としておく。
【００４７】
そして、商品を収納する際には、図６に示すように、端壁１，３及び一対の側壁２から角筒状の周壁を形成し、内フラップ５ａと外フラップ５ｂとを折り重ねて固定することにより底壁５を形成し、商品を上部開口から収納した後、内フラップ６ａと外フラップ６ｂとを折り重ねて固定することにより天壁６を形成し、封緘状態とする。この封緘状態において、外フラップ６ｂの折目線１５の位置は、端壁１に連設された内フラップ６ａの先端の位置に一致している。
【００４８】
一方、店頭で商品を展示する際には、図７に示すように、折込片１１ｃの押込に伴い、手掛穴１１の切目線１１ａを破断させ、折目線１１ｂをヒンジとして折込片１１ｃを内側へ折り込むことにより、手掛穴１１を開口させる。
【００４９】
次に、手掛穴１１に指を入れ、折込片１１ｃに指を掛けて、端壁１を手掛穴１１の上縁に臨む部分から手前に引っ張ると、端壁１は補助罫線１３に沿って膨出するように撓み、切目線１２ａが切断され、これに伴い、側壁２の切目線１２ｂより上方部分が内側へ引っ張られ、補助罫線１４に沿って屈曲するように撓み、切目線１２ｂの端壁１寄りの部分が切断される。
【００５０】
そして、手掛穴１１の上縁に臨む部分から端壁１を引き上げると、側壁２の切目線１２ｂが外フラップ６ｂとの境界まで切断され、外フラップ６ｂが折目線１５をヒンジとして屈曲し、さらに、端壁１と共に天壁６を引き上げると、切目線１２ｃも切断される。その後、天壁６を少し捻ると、切目線１２ｄが切断され、周壁全周に及ぶ切目線１２より上方部分を除去できる。
【００５１】
上記のような手順により、この包装展示兼用箱は、図８に示すように、容易に大きく開口させることができ、引裂帯等の分離したゴミも発生せず、すっきりとした状態で、残存したトレー状の部分から商品を露出させて展示することができる。
【００５２】
次に、この考案の第３実施形態を図９〜図１２に基づいて説明する。
【００５３】
この包装展示兼用箱は、飲料ボトル等を収納するラップラウンド形式のものであり、側面と天面との稜部が面取りされた変形直方体とされ、図９に示す段ボールのブランクから形成される。
【００５４】
このブランクでは、一対の端壁１が底壁５を介して連設され、その連設方向において、一方の端壁１に面取板７及び継代片８が順次連設され、他方の端壁１に面取板７及び天壁６が順次連設されている。端壁１の両端には、面取部７の方向へ迫り出す内フラップ２ａがそれぞれ連設され、底壁５の両端には外フラップ２ｂが、天壁６の両端には外フラップ２ｃがそれぞれ連設されている。
【００５５】
端壁１には、中央部に横長の手掛穴１１を形成するように、湾曲した切目線１１ａと、上縁となる折目線１１ｂとが入れられ、切目線１１ａと折目線１１ｂの内側が折込片１１ｃとされている。切目線１１ａは、切目が断続するミシン目とされ、折目線１１ｂは、段ボールの裏面側から押圧した押罫とされている。
【００５６】
そして、手掛穴１１の両端部を始端として、組立状態で周壁全周に及ぶ切目線１２が入れられている。切目線１２は、端壁１の切目線１２ａ及び内フラップ２ａの切目線１２ｂから構成されている。
【００５７】
端壁１の切目線１２ａは、手掛穴１１の両端から切目線１１ａに連続して、内フラップ２ａとの境界へ延びるものであり、細かい切目が繰り返し波状に断続する構成とされている。このような波状とすることにより、組立時に端壁１が切目線１２ａに沿って折れ曲がる現象が防止される。
【００５８】
内フラップ２ａの切目線１２ｂは、端壁１の切目線１２ａに連続し、組立状態で途中まで上方へ向かい、その後、下方へ向きを変えて、先端側の切込まで延びるものであり、切目が断続するミシン目とされている。
【００５９】
また、端壁１には、開封時に切目線１２ａ，１２ｂの切断を誘発する補助罫線１３として、手掛穴１１の折目線１１ｂから面取板７との境界付近まで両側へ斜めに延びる先折罫線１３ａと、その外側で横方向へずれて、切目線１２ａの内フラップ２ａ寄りの部分から面取板７との境界に臨む両側角部へ斜めに延びる後折罫線１３ｂとが入れられている。補助罫線１３は、段ボールの裏面側から押圧した押罫とされている。
【００６０】
さらに、内フラップ２ａには、切目線１２ｂの中間部分における変向部から面取板７との境界に臨む端壁１側の角部へ向けて補助罫線１４が入れられている。補助罫線１４もまた、段ボールの裏面側から押圧した押罫とされている。
【００６１】
そのほか、組立状態で対角位置となる１組の内フラップ２ａと外フラップ２ｃには、長円形に切目線及び折目線を入れて、重なり合った状態で押し込むことにより取手穴が開口する取手片１６が設けられている。
【００６２】
このようなブランクを組み立てて商品を包装する際には、底壁５に商品を載置し、図１０に示すように、底壁５から一対の端壁１を起立させ、面取板７を斜め内側へ折り曲げ、継代片８及び天壁６を折り重ねて貼り合わせる。そして、一対の端壁１から内フラップ２ａを内側へ折り曲げ、外フラップ２ｂ，２ｃを折り曲げて、その先端同士を突き合わせ、内フラップ２ａと外フラップ２ｂ，２ｃとを貼り合わせる。
【００６３】
一方、店頭で商品を展示する際には、図１１に示すように、一対の端壁１の折込片１１ｃの押込に伴い、手掛穴１１の切目線１１ａを破断させ、折目線１１ｂをヒンジとして折込片１１ｃを内側へ折り込むことにより、手掛穴１１を開口させる。
【００６４】
次に、手掛穴１１に指を入れ、折込片１１ｃに指を掛けて、端壁１を手掛穴１１の上縁に臨む部分から手前に引っ張ると、端壁１は先折罫線１３ａ及び後折罫線１３ｂに沿って膨出するように撓み、切目線１２ａが切断され、これに伴い、内フラップ２ａの切目線１２ｂより上方部分が内側へ引っ張られ、補助罫線１４に沿って屈曲するように撓み、切目線１２ｂの端壁１寄りの部分が切断される。
【００６５】
そして、手掛穴１１の上縁に臨む部分から一対の端壁１を引き上げると、切目線１２ｂが内フラップ２ａの先端まで切断され、切目線１２より上方部分を除去できる。
【００６６】
上記のような手順により、この包装展示兼用箱は、図１２に示すように、容易に大きく開口させることができ、引裂帯等の分離したゴミも発生せず、すっきりとした状態で、残存したトレー状の部分から商品を露出させて展示することができる。
【００６７】
なお、上記各実施形態では、手掛穴１１を、その上部の折目線１１ｂをヒンジとする折込片１１ｃの折り込みに伴い開口させるものを例示したが、折込片１１ｃを省略し、手掛穴１１が最初から開口しているものとしてもよい。
【符号の説明】
【００６８】
１，３  端壁
２  側壁
２ａ  内フラップ
２ｂ，２ｃ  外フラップ
４  継代片
５  底壁
５ａ  内フラップ
５ｂ  外フラップ
６  天壁
６ａ  内フラップ
６ｂ  外フラップ
７  面取板
８  継代片
１１  手掛穴
１１ａ  切目線
１１ｂ  折目線
１１ｃ  折込片
１２  切目線
１２ａ，１２ｂ，１２ｃ，１２ｄ  切目線
１２ｂ１  主切目
１２ｂ２  副切目
１３，１４  補助罫線
１３ａ  先折罫線
１３ｂ  後折罫線
１５  折目線
１６  取手片
【図１】
0003197408.tif 000003
【図２】
0003197408.tif 000004
【図３】
0003197408.tif 000005
【図４】
0003197408.tif 000006
【図５】
0003197408.tif 000007
【図６】
0003197408.tif 000008
【図７】
0003197408.tif 000009
【図８】
0003197408.tif 000010
【図９】
0003197408.tif 000011
【図１０】
0003197408.tif 000012
【図１１】
0003197408.tif 000013
【図１２】
0003197408.tif 000014
【図１３】
0003197408.tif 000015